(57)【特許請求の範囲】
【請求項１】
サブウーファースピーカを含む複数のスピーカを有し、リモコン送信器による操作により操作可能な音響映像再生システムであって、
前記リモコン送信器は、操作信号を送信する送信手段とレーザーを発光するレーザー発光手段と、を有し、
前記サブウーファースピーカ以外のスピーカは、前記レーザー発光手段からのレーザーを受ける光反射面を、当該スピーカの前面中央軸上でバッフル面に平行に設けられ、
前記レーザー発光手段によって発光されたレーザーの前記光反射面での反射の角度によって当該スピーカの配置角度を確認する、音響映像再生システム。
【発明の詳細な説明】
【技術分野】
【０００１】
本発明は、映像信号と音声信号を再生する音響映像再生システムに関し、特にスピーカの角度配置を確認する方法に関するものである。
【背景技術】
【０００２】
近年、複数のスピーカシステムで音響映像を楽しむサラウンド機能を採用した再生装置が広く見られる。この場合、ユーザーが正確な音像の定位やサラウンド効果を得るためには、指向性を持たない低音域専用のサブ・ウーファースピーカを除き、全てのスピーカをリスニングポイントのユーザーに向かって正対して配置することが推奨されている。
【０００３】
これを実現するために、例えば、先行技術文献１では、スピーカと、前記スピーカの音の放射方向を示唆する光を照射する照射手段とを備えたスピーカ調整装置が開示されている。このような構成により、照射手段から照射される光によって、スピーカの音の放射方向のうち音圧が最大である音圧最大方向を設置者に視覚的に示すことができる。
【先行技術文献】
【特許文献】
【０００４】
【特許文献１】特開２００３−２８４１７５号公報
【発明の概要】
【発明が解決しようとする課題】
【０００５】
しかしながら、このようなスピーカ調整装置では、スピーカ装置自体に照射手段を構成しなければならず、実現に多くの費用がかかるという問題点があった。
【０００６】
そこで、本発明は、上記の問題点を解決すべく、スピーカ装置自体に照射手段を構成せずに、より簡単にスピーカの配置角度を確認できる音響映像再生システムを提供することを目的とする。
【課題を解決するための手段】
【０００７】
上記目的を達成するために、本発明の音響映像再生システムは、サブウーファースピーカを除く全てのスピーカの前面中央軸上に、バッフル面に平行な小さい光反射面を設けるとともに、リモコン送信器にレーザー発光機能を内蔵するように構成する。このような構成にすることで、リスニングポイントから光反射面にレーザーを照射し、その反射光を確認できるように構成することができる。従って、従来の音響映像再生システムと比較してコストアップをすることなく、スピーカの配置角度を確認することが可能となる。
【発明の効果】
【０００８】
上記の構成によれば、レーザー光の反射によって、スピーカの配置角度を確認することができる。
【図面の簡単な説明】
【０００９】
【図１】実施の形態１にかかる音響映像再生システムの配置図
【図２】実施の形態１にかかる音響映像再生システムにおけるスピーカの外観図
【図３】実施の形態１にかかる音響映像再生システムにおけるリモコン送信器の外観図
【発明を実施するための形態】
【００１０】
以下、本発明の音響映像再生システムの実施の形態として、５．１チャンネルサラウンドシステムについて、図面を参照しながら説明する。
（実施の形態１）
図１に、実施の形態にかかる音響映像再生システムの配置図を示す。
【００１１】
音響映像再生システム１００は、図示しないディスク装置を再生して、映像信号及び音声信号を処理し、映像信号をモニター１０８に出力し、音声信号を各スピーカに出力するメインユニット１０１と、センターチャンネルスピーカ１０２と、前方用左チャンネルスピーカ１０３と、前方用右チャンネルスピーカ１０４と、サラウンド用左チャンネルスピーカ１０５と、サラウンド用右チャンネルスピーカ１０６と、サブウーファー用スピーカ１０７と、モニター１０８と、メインユニットとモニター１０８を遠隔操作するとともにレーザー光を発光する機能を持つリモコン送信器１０９で構成される。例えば、スピーカ１０３に向けてリモコン送信器１０９から発光されたレーザー光は、方向Ａすなわちスピーカ１０３に向かって発光される。
【００１２】
図２に、実施の形態１にかかる音響映像再生システムのスピーカの一例として、前方左チャンネルスピーカ１０３の外観図を示す。前方左チャンネルスピーカ１０３は、通常のスピーカに新たに前面中央軸上に、バッフル面と並行な小さい光反射面１１０が設けられている。サブウーファー用スピーカ１０７を除く全てのスピーカには、同様に、前面中央軸上に、バッフル面に平行な小さい光反射面１１０が設けられている。例えば、スピーカ１０３に向けてリモコン送信器１０９から発光されたレーザー光は、スピーカ１０３に設けられた光反射面１１０で反射され、方向Ｂすなわちリモコン送信器１０９をもつユーザに向かって戻ってくる。
【００１３】
図３に、実施の形態１にかかる音響映像再生システムのリモコン送信器１０９を示す。
【００１４】
リモコン送信器１０９は、メインユニット１０１やモニター１０８の操作をする複数の操作キー１１１と、各操作キー１１１に応じた信号を送信する送信部１１３と、レーザー発光を操作するレーザー発光キー１１２と、レーザー発光キー１１２に応じてレーザー発光する発光部１１４で構成される。
【００１５】
次に、音響映像再生装置の動作を説明する。
【００１６】
ユーザーは、まず、リモコン送信器１０９のレーザー発光キー１１２を押すと、レーザー発光部１１４よりレーザー光線が照射される。そこで、ユーザーは、スピーカ１０３に設けられた光反射面１１０に向けて、そのレーザー光を照射する。スピーカ１０３がユーザーに正しく正対している場合は、光反射面１１０からの反射光がユーザーに戻ってくる。このように、レーザーの反射光の角度によって、ユーザーは容易にスピーカがユーザーに正対しているかどうか確認することができる。
【００１７】
ここではスピーカ１０３の場合のみを説明したが、他のスピーカの場合も同じである。またここでは５．１チャンネルのスピーカ配置の場合を説明したが、２チャンネルや、２．１チャンネルや、７．１チャンネルの場合にも同じことが実現可能である。
【００１８】
なお、実施の形態１において、スピーカの小さな光反射面バッフル面に並行としたが、これには限らない。例えば、この光反射面をスピーカのバッフルの並行面に対して指定の角度に回転できるようにしてもよい。この場合は、ユーザーに正対する軸上から指定された角度だけスピーカ１０３が逆の回転角度を持って設置された場合に、レーザーの反射光がユーザの方向に戻ることになる。再生される音響や、使用されるスピーカによっては、スピーカがユーザーに正対する軸上から特定の角度を持って設置した方が、音像の定位やサラウンド効果を感じることができる場合があるが、そのような場合にこの形態は有効である。
【産業上の利用可能性】
【００１９】
本発明は、映像信号と音声信号を再生する音響映像再生システムに関し、特に、スピーカの角度配置を確認する方法に関するものであって、スピーカ装置自体に照射手段を構成せずに、より簡単にスピーカの配置角度を確認できる音響映像再生システムを提供できる。そのため、本発明は、サラウンドシステムで必要となる複数のスピーカの配置位置を容易に決定でき、サラウンドシステムの容易な設定に適用できる。
【符号の説明】
【００２０】
１００  音響映像再生システム
１０１  メインユニット
１０２  センターチャンネルスピーカ
１０３  前方用左チャンネルスピーカ１０３
１０４  前方用右チャンネルスピーカ
１０５  サラウンド用左チャンネルスピーカ
１０６  サラウンド用右チャンネルスピーカ
１０７  サブウーファー用スピーカ
１０８  モニター
１０９  リモコン送信器
１１０  光反射面
１１１  操作キー
１１２  レーザー発光キー
１１３  操作キー送信部
１１４  レーザー発光部
【図１】
0005381863.tif 000002
【図２】
0005381863.tif 000003
【図３】
0005381863.tif 000004